(57)【要約】  【課題】  本発明は、錯綜する交さ筋かいの干渉を回避して迅速、かつ確実に、安定性よく、しかも容易に作業能率よく取付けることが出来る、わく組足場用手摺を提供するものである。  【解決手段】  わく組足場を構成する建わく２４間に架設状に取付け自在とされたわく組足場用手摺１であって、該手摺１は所定間隔をおいて並列状に配設された両側の手摺柱２・３と、該両側手摺柱２・３間の上部に枢着ピン７を介して回動自在に取付けられた所要数の横桟４・５と、建わく２４の横架材２６に掛止せしめるべく両側手摺柱２・３の下部に各々取付けられた掛止部材１８と、建わく２４の脚柱２５に楔着せしめるべく両側手摺柱２・３の下端部に各々取付けられた楔着部材８・９とよりなり、上記両側の手摺柱２・３は楔着部材８・９を段違い状に取付けるべくその一方が長尺状に、同他方が短尺状に形成されている。  【選択図】      図１
2006291626.tif 000002
【特許請求の範囲】
【請求項１】
わく組足場を構成する建わく間に架設状に取付け自在とされたわく組足場用手摺であって、該手摺は所定間隔をおいて並列状に配設された両側の手摺柱と、該両側手摺柱間の上部に枢着ピンを介して回動自在に取付けられた所要数の横桟と、建わくの横架材に掛止せしめるべく両側手摺柱の下部に各々取付けられた掛止部材と、建わくの脚柱に楔着せしめるべく両側手摺柱の下端部に各々取付けられた楔着部材とよりなり、上記両側の手摺柱は楔着部材を段違い状に取付けるべくその一方が長尺状に形成されると共に、同他方は短尺状に形成されてなることを特徴とする、わく組足場用手摺。
【請求項２】
少くとも短尺状手摺柱に取付けられた楔着部材が回動自在とされてなることを特徴とする、請求項１記載のわく組足場用手摺。
【請求項３】
両側の手摺柱に取付けられた掛止部材が各々略フック状とされてなることを特徴とする
、請求項１及び２記載のわく組足場用手摺。
【請求項４】
建わくの脚柱に係止せしめるべく両側の手摺柱上端に各々係止部材が回動自在に取付けられてなることを特徴とする、請求項１〜３記載のわく組足場用手摺。
【発明の詳細な説明】
【技術分野】
【０００１】
本発明は、各種建築・土木作業用のわく組足場を構築するさいに使用する折畳み自在なわく組足場用手摺に関する。
【背景技術】
【０００２】
一般に、この種のわく組足場としては、所要数の建わくを所定間隔毎に起立せしめつつ交さ筋かいでもって連結せしめると共に、隣あう建わく間に足場板を架設せしめつつ順次上方に連結せしめ、所定の個所に手摺や階段などの足場部材を取付けて構築するものとされている。
【０００３】
ところで、上記わく組足場を構成する折畳み自在な手摺としては、例えば、特開２００４−２８５７９１号公報（特許文献１）に開示されているように、所要の高さを備えた両側一対の手摺柱間に上下一対の横桟が枢着ピンを介して回動自在に枢着され、該上下横桟の中間には連結部材が枢着されると共に、両側手摺柱の中間部には建わくの脚柱に抱持せしめるべく欠円状の抱持孔を備えたプレ−ト状抱持部材が、同下端部には建わくの脚柱に楔着せしめるべく楔着部材が各々固着されたものが知られている。
【０００４】
そして、上述の如く構成された従来例は、手摺を上方に持ち上げつつ両側の抱持孔に順次建わくの脚柱を挿入せしめ、抱持部材でもって脚柱に抱持せしめると共に、楔着部材でもって各々脚柱に楔着せしめ、手摺を建わく間に架設状に取付けるものとされている。
【特許文献１】特開２００４−２８５７９１号公報（第２２頁、第３０−３１図）
【発明の開示】
【発明が解決しようとする課題】
【０００５】
しかしながら、上述の如く構成された従来例は、以下の問題点を有するものである。
まず第１に、従来例は同高とされた両側一対の手摺柱下端に各々楔着部材が固定的に取付けられているから、建わくの脚柱に楔着せしめるさいには、その周囲に複数の交さ筋かいが錯綜して干渉する脚柱位置に楔着せざるを得ないものであって、ひいては、その楔着作業が非常に面倒で手間がかかり、作業能率が悪いものである。
第２に、楔着部材は上述の如く手摺柱の下端部に固定的に取付けられているから、錯綜する交さ筋かいの干渉を回避しずらく、その楔着作業が非常に面倒で手間がかかるものである。
第３に、抱持部材はその欠円形抱持孔に脚柱を挿入して抱持せしめるものであるから、脚柱に確実に抱持せしめることが出来る反面、その抱持作業が非常に面倒で手間がかかるのみならず、隣あう建わくの脚柱間にズレや寸法誤差などがある場合には抱持不能となりやすい等のおそれがあるものである。
第４に、従来例は手摺柱の中間を抱持部材により抱持せしめると共に、同下端を楔着部材により楔着せしめるにすぎないものであるから、建わくの脚柱に取付けたさいには、上下一対の横桟が回動自在に枢着されていることとも相まって手摺柱の上端部がガタ付きやすいのみならず、横揺れなどを生起して非常に不安定となりやすいものである。このため
、別途に交さ筋かいを取付けざるを得ず、全体として取付け作業が非常に面倒であるのみならず、作業能率が悪いものである。
【０００６】
本発明は従来の問題点を解決し、錯綜する交さ筋かいの干渉を回避して迅速、かつ確実に、安定性よく、しかも容易に作業能率よく取付けることが出来る、わく組足場用手摺を提供しようとするものである。
【課題を解決するための手段】
【０００７】
上記の目的を達成するため、請求項１記載の発明は、わく組足場を構成する建わく間に架設状に取付け自在とされたわく組足場用手摺であって、該手摺は所定間隔をおいて並列状に配設された両側の手摺柱と、該両側手摺柱間の上部に枢着ピンを介して回動自在に取付けられた所要数の横桟と、建わくの横架材に掛止せしめるべく両側手摺柱の下部に各々取付けられた掛止部材と、建わくの脚柱に楔着せしめるべく両側手摺柱の下端部に各々取付けられた楔着部材とよりなり、上記両側の手摺柱は楔着部材を段違い状に取付けるべくその一方が長尺状に形成されると共に、同他方は短尺状に形成されてなることを特徴とする、わく組足場用手摺を要旨とするものである。
【０００８】
請求項２記載の発明は、少くとも短尺状手摺柱に取付けられた楔着部材が回動自在とされてなることを特徴とする、請求項１記載のわく組足場用手摺を要旨とするものである。
【０００９】
請求項３記載の発明は、両側の手摺柱に取付けられた掛止部材が各々略フック状とされてなることを特徴とする、請求項１及び２記載のわく組足場用手摺を要旨とするものである。
【００１０】
請求項４記載の発明は、建わくの脚柱に係止せしめるべく両側の手摺柱上端に各々係止部材が回動自在に取付けられてなることを特徴とする、請求項１〜３記載のわく組足場用手摺を要旨とするものである。
【発明の効果】
【００１１】
請求項１記載の発明は上述のように構成されているから、掛止部材を相隣る建わくの横架材に掛止して支持せしめつつ、両側の手摺柱を各々建わくの脚柱に楔着部材を介して取付ることが出来るものであって、常に手摺を建わくの脚柱に迅速、かつ、確実に、しかも作業能率よく取付ることが出来るものである。そして、特に、両側の手摺柱には楔着部材を段違い状に設定せしめるべくその一方が長尺状に形成されると共に、同他方が短尺状に形成されているから、両側手摺柱の取付け作業時においては交さ筋かいの干渉を回避して容易に作業能率よく取付け作業を行なうことが出来るものである。
【００１２】
請求項２記載の発明は上述のように構成されているから、手摺柱を建わくの脚柱に取付るさいには楔着部材を適宜回動せしめつつ交さ筋かいの干渉を回避せしめることが出来るものであって、ひいては、手摺柱の楔着作業を非常に容易に、しかも確実に行なうことが出来るものである。
【００１３】
請求項３記載の発明は上述のように構成されているから、建わくの横架材に簡単に掛止して支持せしめることが出来るものであって、従来の抱持部材に比してその操作を容易に行なうことが出来るものである。
【００１４】
請求項４記載の発明は上述のように構成されているから、係止部材を回動せしめつつ建わくの脚柱に圧接状に係止せしめ、両側手摺柱の上端部を各々確実に支持せしめることが出来るものであって、ひいては、従来例のように別途交さ筋かいを取付けることなく、手摺柱の上端部のガタ付きや横振れなどを確実に防止せしめて非常に安定性がよいものである。
【発明を実施するための最良の形態】
【００１５】
以下に、本発明を実施するための最良の形態を図面に示す一実施例に基づいて詳細に説明する。
【実施例】
【００１６】
図１〜図３は本発明の一実施例を示すもので、同図中、１は略方形枠状とされたわく組足場用手摺、２・３は該手摺１を構成する両側の金属パイプ製長尺状手摺柱と短尺状手摺柱、４・５は該両側の長尺状手摺柱２と短尺状手摺柱３の上端部とほぼ中間部に各々取付部材６を介して架設状に枢着された上部横桟と下部横桟、７は該上下部横桟４・５を各々取付け部材６に枢着せしめるボルト状の枢着ピンで、該各枢着ピン７を中心として上下部横桟４・５の両端部を各々回動せしめつつ図３に示すように略直線状に折畳み自在とされている。８は後記する建わく２４の脚柱２５に楔着せしめるべく長尺状手摺柱２の下端に外向き状に固着された固定楔着部材、９は該固定楔着部材８と段違い状に位置せしめるべく短尺状手摺柱３の下端に筒状の取付け部材１０を介して回動自在に取付けられた可動楔着部材、１１は取付け部材１０の抜出を防止せしめるべく短尺状手摺柱３の下端部にナット１２を介して螺着された抜止め用ボルトで、上記固定・可動楔着部材８・９は各々先部に脚柱用係合凹部１４を備えた上下一対の板状係合片１３と、係合凹部１４と同一垂直線上に位置すべく該上下係合片１３間に外方突出状に取付けられた略コ字形状のつかみ片１５と、該つかみ片１５の両側先部に形成されたクサビ孔１６に挿入自在とされたクサビ１７とより構成されている。１８は上記固定・可動楔着部材８・９の若干上方に位置すべく長尺状手摺柱２と短尺状手摺柱３の下端よりに同一レベルでもって各々外向き状に取付けられた略フック形状の掛止部材である。１９は後記する建わく２４の脚柱２５に圧接係止せしめるべく長尺状手摺柱２と短尺状手摺柱３との上端部に各々取付けられた横断面略上向きコ字形状の係止部材で、該各係止部材１９はその先部に湾曲状の脚柱用係止凹部２０が形成されると共に、同基部の両側に溝孔状ピン孔２１が形成され、該ピン孔２１を通して長尺状手摺柱２及び短尺状手摺柱３にボルト２２・ナット２３でもって回動自在に枢着せしめられている。その他、２４はわく組足場を構築する鳥居形状の建わく、２５は該建わく２４を構成する両側一対の金属パイプ製脚柱、２６は該脚柱２５間に架設状に取付けられた横架材である。２７は建わく２４を連結せしめる交さ筋かい、２８は建わく２４間につかみ金具２９を介して架設状に取付けられた足場板を示す。
【００１７】
次に、上述の如く構成された手摺１の取付け状態を図４〜図１３に基づいて説明する。
まず、図４に二点鎖線で示すように手摺１を折畳んだ状態でもって長尺状手摺柱２と短尺状手摺柱３の下部を各々握持せしめつつ上方に持上げ、長尺状手摺柱２の掛止部材１８を建わく２４の横架材２６に掛止して支持せしめると共に、同脚柱２５に沿わせつつ固定楔着部材８でもって軽く仮楔着せしめる（図５Ａ、図６参照）。即ち、上下の係合片１３とつかみ片１５とを各々脚柱２５に嵌合状に係合せしめ、つかみ片１５のクサビ孔１６にクサビ１７を軽く挿入して仮楔着せしめる。次いで、枢着ピン７を中心として上下部横桟４・５を回動せしめ、短尺状手摺柱３の掛止部材１８を相隣る建わく２４の横架材２６に掛止して支持せしめたのち、取付け部材１０を介して適宜可動楔着部材９を回動せしめ、上下の係合片１３及びつかみ片１５を各々脚柱２５に嵌合状に係合せしめると共に、つかみ片１５のクサビ孔１６にクサビ１７を圧入せしめて楔着せしめる（図５Ｂ〜Ｃ、図７〜図１０参照）。このさい、可動楔着部材９は固定楔着部材８と段違い状に位置すべく短尺状手摺柱３の下端に回動自在に取付けられているから、楔着すべき脚柱２５の周囲に錯綜するや交さ筋かい２７の干渉を回避して容易に、しかも作業能率よく楔着せしめることが出来る。可動楔着部材９の楔着が完了すると、固定楔着部材８のクサビ１７をクサビ孔１６に圧入せしめて楔着せしめる（図５Ｄ、図１１参照）。次いで、上層の足場板２８・建わく２４・交さ筋かい２７を取付けたのち、ボルト２２を中心として溝孔状のピン孔２１に沿わせつつ、両側の係止部材１９を各々起立状に回動せしめ、その係止凹部２０を脚柱２５の上端部に圧接状に係止せしめて取付け、手摺１の取付けを完了する（図４、図１２、図１３参照）。このさい、手摺１は建わく２４に対してその下部を掛止部材１８及び固定・可動楔着部材８・９でもって取付けるのみならず、上端部を係止部材１９でもって圧接状に係止せしめるものであるから、従来例のように交さ筋かいを必要とすることなく、使用時においては手摺１がガタついたり横揺れなどを生起せしめることがなくて非常に安定性の高いものである。  
【００１８】
逆に、手摺１を建わく２４から取外すさいには、両側の係止部材１９を各々回動せしめて脚柱２５への圧接係止を解除せしめると共に、上層の交さ筋かい２７・建わく２４・足場板２８を各々取外したのち、固定・可動楔着部材８・９のクサビ１７を抜き去り、脚柱２５との楔着を解除せしめる。次いで、短尺状手摺柱３を上方に持ち上げて掛止部材１８と横架材２６との掛止を解除せしめたのち、枢着ピン７を中心として上下部横桟４・５を回動せしめつつ長尺状手摺柱２方向に折曲せしめる。しかるのち、上方に持ち上げて長尺状手摺柱２がわの掛止部材１８と横架材２６との掛止を解除せしめ、取外しを完了する。取外した手摺１は図３に示すように折畳んだ状態で保管し、また、格納せしめる。
【００１９】
なお、上記実施例において、長尺状手摺柱２には固定楔着部材８を取付けるものとされているが、これに限定されるものでなく、短尺状手摺柱３と同構成の可動楔着部材を取付けてもよいものである。また、固定・可動楔着部材８・９の構成は実施例に限定されるものでなく、これに類した他の公知のものを採択使用することが出来るものである。
【図面の簡単な説明】
【００２０】
【図１】本発明の一実施例を示す正面図である。
【図２】実施例の要部を示す分解斜視図である。
【図３】実施例の折畳んだ状態を示す正面図である。
【図４】実施例の取付け状態を示す正面図である。
【図５】実施例の固定・可動楔着部材８・９の楔着状態を示す平面図である。
【図６】図４のI−I線に沿う拡大断面図である。
【図７】図４のII−II線に沿う拡大断面図である。
【図８】図４のIII−III線に沿う拡大断面図である。
【図９】実施例の掛止部材１８と可動楔着部材９の取付け状態を各々示す一部拡大正面図である  。
【図１０】実施例の掛止部材１８と可動楔着部材９の取付け状態を各々示す一部拡大平面図である  。
【図１１】図４のIV−IV線に沿う拡大断面図である。
【図１２】実施例の係止部材１９の係止状態を示す一部拡大正面図である。
【図１３】実施例の係止部材１９の係止状態を示す一部拡大平面図である。
【符号の説明】
【００２１】
１    手摺
２    長尺状手摺柱
３    短尺状手摺柱  
４    上部横桟
５    下部横桟
７    枢着ピン
８    固定楔着部材
９    可動楔着部材
１８  掛止部材
１９  係止部材
２４  建わく
２５  脚柱
２６  横架材
【図１】
2006291626.tif 000003
【図２】
2006291626.tif 000004
【図３】
2006291626.tif 000005
【図４】
2006291626.tif 000006
【図５】
2006291626.tif 000007
【図６】
2006291626.tif 000008
【図７】
2006291626.tif 000009
【図８】
2006291626.tif 000010
【図９】
2006291626.tif 000011
【図１０】
2006291626.tif 000012
【図１１】
2006291626.tif 000013
【図１２】
2006291626.tif 000014
【図１３】
2006291626.tif 000015